【事件の表示】
　特願２００３−１９８４６６「記録再生装置」拒絶査定不服審判事件〔平成１６年　２月１２日出願公開、特開２００４−　４８７６５〕について、次のとおり審決する。
【結　論】
　本件審判の請求は、成り立たない。
【理　由】
１　【手続きの経緯、本願発明】
　本願は、平成５年１０月２９日に出願した特願平５−２９４４０２号の一部を平成１５年７月１７日に新たな特許出願としたものであって、その請求項１ないし７に係る発明は、平成１７年１月１７日付け及び平成１７年５月３０日付け手続補正書により補正された明細書及び図面の記載からみて、その特許請求の範囲の請求項１ないし７に記載されたとおりの「記録再生装置」にあると認められるところ、その請求項１に係る発明（以下「本願発明」という。）は、特許請求の範囲の請求項１に記載された次のとおりのものである。
「【請求項１】　画像情報と音声情報とを含む受信情報の記録媒体への記録と並行して該記録媒体から記録された該受信情報の読み出しを行う記録再生装置であって、
　該記録媒体へ該受信情報を記録し、該記録媒体から該受信情報を読み出すヘッドと、
　前記ヘッドの該受信情報の記録位置または該受信情報の読み出し位置を制御する位置付け部と、
　該記録媒体への該受信情報の記録が開始されたときに、該受信情報を格納する受信バッファメモリと、
　前記受信バッファメモリから該受信情報を読み出し、前記位置付け部に前記ヘッドの該記録媒体上の所定記録開始位置への移動を指示し、前記記録開始位置からはじまる連続する領域に該受信情報を記録する記録制御部と、
　該記録媒体から読み出した該受信情報を格納する再生バッファメモリと、
　該記録媒体への該受信情報の記録中に該記録媒体に記録された該受信情報の再生が開始されたときに、前記位置付け部により移動された前記ヘッドにより前記記録開始位置からはじまる連続する領域から該受信情報を読み取る再生部とを備え、
　前記受信バッファメモリからの受信情報の読み出し速度を前記受信バッファへの受信情報の格納速度よりも数倍速く設定して、前記再生バッファメモリからの該受信情報の読み出しに要する時間を、該受信情報を該記録媒体に記録する時間と前記記録媒体から該受信情報を読み出して前記再生バッファメモリに格納する時間との和よりも長く設定することにより、前記受信バッファメモリへの格納および前記再生バッファメモリから読み出しを平行して行わせることを特徴とする記録再生装置。」
　
２　【引用例】
　これに対して、原査定の拒絶の理由に引用された特開平４−３４１９２６号公報（以下「引用例」という。）には、「デイスク記録再生装置」（発明の名称）に関し、図面と共に次に掲げる事項アないしケのとおりの記載がある。
　　ア　「ディスク上にスパイラルに形成されたトラックを有する記録媒体に光学ヘッドを用いて、少なくとも入力データの２倍以上のレートでの信号の記録再生が可能な光ディスク装置であって、ディジタル符号化された入力データに対し時間軸圧縮を施す第１のメモリ手段と、前記第１のメモリ手段の書き込みアドレス及び読み出しアドレスを生成する第１のアドレス生成手段と、トラック上に記録された位置情報、及び第１のメモリ手段の前記書き込みアドレスと読み出しアドレスの差を所定の比較値と比較して記録指令を生成する記録指令生成手段と、前記記録指令に基づいて前記第１のメモリ手段から読み出された記録信号に対し、少なくとも誤り検出または訂正符号を付加して前記ディスク上に記録を行う記録信号処理手段と、記録終了後に、前記光学ヘッドを所定トラック前にジャンプさせて戻すトラックジャンプ制御手段と、前記光学ヘッドにより前記ディスク上の所定トラックから再生された再生信号に対し、少なくとも誤り検出または誤り訂正処理を行う再生信号処理手段と、前記再生信号処理手段の出力データに対し時間軸伸張を施す第２のメモリ手段と、前記第２のメモリ手段の書き込み及び読み出しアドレスを生成する第２のアドレス生成手段と、を備えたディスク記録再生装置。」（特許請求の範囲第１項）
　　イ　「【産業上の利用分野】本発明はディスク上に音声などの情報の記録再生を行うディスク記録再生装置に関するものである。」（公報段落【０００１】）
　　ウ　「図２は本実施例を用いて記録動作を行った場合のトラックを示す図である。図２において、実線部は記録済みトラックＮ−１、太線部は今回記録を行ったトラックＮ、破線部は未記録トラックＮ＋１である。光学ヘッド３は光ディスク１の内周から順に記録を行い、略１周分に相当するトラックＮの記録を終了すると、図２中の矢印で示した如くトラックＮの最初の位置にジャンプすることにより戻り、今記録を終了したトラックＮをトラッキングして再生する。」（公報段落【００２０】）
　　エ　「図３は図１で示した本実施例各ブロックの動作を示す波形図である。図３において、入力データ４はそのデータレートに応じて連続的に入力されるが、本例では便宜的に光ディスク１の略２回転周期分の入力データを１区切りとして１トラック分のデータとして扱い、Ｎ−１，Ｎ，Ｎ＋１，・・・と表示する。入力データ４はそのデータレートに応じて第１のアドレス生成手段８で生成される第１の書き込みアドレス６によって第１のメモリ手段５に書き込まれ、記録指令生成手段２０から出力される記録指令２２に従って生成される第１の読み出しアドレス７によって第１のメモリ手段５から読み出し信号９として読み出される。記録指令２２が記録状態（図３中”Ｈ”の区間）となるのはディスク１回転の期間より短いので、第１のメモリ手段５では２倍以上のデータの時間軸圧縮が行われることになる。読み出し信号９は記録信号処理回手段１０を経由して記録指令２２に基づいて光学ヘッド３により光ディスク１上のトラックに記録される。前述のように記録される信号のデータレートは入力のデータレートの２倍以上あるので、第１のメモリ手段５に記憶されているデータ量は記録中減少することになる。記録指令生成手段２０では第１の書き込みアドレス６と第１の読み出しアドレス７の差を比較し、その差が所定値以下になった時点で記録指令２２を解除する。また、図示しないが記録を終了した時点で、最後に光ディスク１上に書き込んだ記録信号のアドレス値を記録指令生成手段２０内部で記憶しておく。」（公報段落【００２１】）
　　オ　「トラックジャンプ制御手段２３では記録指令２２解除後直ちにジャンプ指令２４を出力して１トラックジャンプ動作を行い、光学ヘッド３を今記録を終了したトラック（図２中のトラックＮ）の先頭にオントラックさせ、再生状態に移行させる。再生状態に移行した後はジャンプ指令２４は解除される。」（公報段落【００２２】）
　　カ　「再生されたトラックＮの再生出力１２は再生信号処理手段１３で再生処理が施された後、第２のアドレス生成手段１８によって生成される第２の書き込みアドレス１６に従って第２のメモリ手段１５に書き込まれる。第２のアドレス生成手段１８には記録指令２２及びジャンプ指令２４が入力され、図１には図示しないが、ジャンプ指令２４の解除を検出直後から記録指令２２が出力されるまでの期間、第２のアドレス生成手段１８内部では図３における再生指令が生成され、その間第２の書き込みアドレス１６を生成する。第２のメモリ手段１５への書き込みデータレートも記録データレートと同じ入力データレートの２倍以上になる。
　一方、再生信号処理手段１３で再生信号１２中から分離抽出されたアドレス信号２１は記録指令生成手段２０に供給され、前回トラックＮの記録を終了したアドレス値との比較を行うことにより記録終了点を検出し、一致した時点で引き続いてトラックに連続して記録を行うため、記録指令２２を再び”Ｈ”に上げる。
　この間、第２のメモリ手段１５からは第２のアドレス生成手段１８で出力データレートに従って生成される第２の読み出しアドレス１７により出力データ１９が連続して読み出される。以上の動作モードを図３の最下段に示す。以下、Ｐは再生モード、Ｒは記録モード、Ｊはジャンプモードを表すものとする。Ｒ→Ｊ→Ｐ→Ｒ→Ｊ→Ｐ→・・・を繰り返すことによって連続的に同時モニタ機能を実現することができる。」（公報段落【００２３】〜【００２５】）
　　キ　「一方、図５に示す再生系では記録系とは逆に、再生動作時のみ再生データ量は増加し、出力データ量は直線的に増加する。従って、第２のメモリ手段１５内のデータ量は記録・ジャンプ動作中は出力データ量分だけ減少し、再生動作時は再生データ量と出力データ量の差分だけ増加することになる。」（公報段落【０００６】）
　　ク　「以上のように本実施例によれば、上記した構成により、入力データレートの２倍以上の記録再生が可能な光ディスクを用いて、トラックジャンプを行うことにより同一トラックに対し略ディスク１回転毎に記録動作と再生動作とを繰り返し行うことができ、従って記録動作時の連続的な同時モニタが可能になる。」（公報段落【００２７】）
　　ケ　「一方、再生系のメモリである第２のメモリ手段１５については、記録されるデータ量が記録系で決定されるので特に比較値を設ける必要はない。ただし、第１及び第２のメモリ手段５，１５内のデータ量が最内周、最外周においてもアンダーフロー、オーバーフローすることがないような容量を確保しておくことは言うまでもない。」（公報段落【００３３】）
　
３　【当審の判断】
（１）対比
　本願発明と引用例に記載された発明とを対比すると、次のことが認められる。
　　ア　引用例には、ディスク上に音声などの情報の記録再生を行うディスク記録再生装置に関し（引用例の上記イの記載参照）、記録動作と再生動作とを繰り返し行うことができ、記録動作時の連続的な同時モニタを可能にすることが記載されており（引用例の上記クの記載参照）、引用例に記載の発明も、画像情報については明示がないものの、「音声情報を含む受信情報の記録媒体への記録と並行して該記録媒体から記録された該受信情報の読み出しを行う記録再生装置」を対象としているといえる。
　　イ　引用例には、記録媒体に光学ヘッドを用いて、少なくとも入力データの２倍以上のレートでの信号の記録再生が可能な光ディスク装置であって、入力データに対し時間軸圧縮を施す第１のメモリ手段と、前記第１のメモリ手段の書き込みアドレス及び読み出しアドレスを生成する第１のアドレス生成手段と、記録指令を生成する記録指令生成手段と、前記記録指令に基づいて前記第１のメモリ手段から読み出された記録信号に対し、前記ディスク上に記録を行う記録信号処理手段と、記録終了後に、前記光学ヘッドを所定トラック前にジャンプさせて戻すトラックジャンプ制御手段と、前記光学ヘッドにより前記ディスク上の所定トラックから再生された再生信号に対し処理を行う再生信号処理手段と、前記再生信号処理手段の出力データに対し時間軸伸張を施す第２のメモリ手段と、前記第２のメモリ手段の書き込み及び読み出しアドレスを生成する第２のアドレス生成手段とを備えたディスク記録再生装置が記載されており（引用例の上記アの記載参照）、上記「光学ヘッド」、「トラックジャンプ制御手段」、「第１のメモリ手段」及び「第２のメモリ手段」は、それぞれ本願発明の「ヘッド」、「位置付け部」、「受信バッファメモリ」及び「再生バッファメモリ」に相当することは明らかである。
　また、引用例には、光学ヘッド３は光デイスク１の内側から順に記録（Ｎ−１，Ｎ，Ｎ＋１，・・・）を行い、略１周分に相当するトラックＮの記録を終了すると、トラックＮの最初の位置にジャンプすることにより戻り、今記録を終了したトラックＮをトラッキングして再生することが記載されており（引用例の上記ウ、図２の記載参照）、そして、記録再生装置において、ヘッドを所定記録開始位置へ移動するように指示して記録を開始することも普通のことであるから、引用例に記載の発明も、第１のメモリ手段５から入力データを読み出し、光学ヘッドをディスク上に形成されたトラックの所定記録開始位置に移動し連続する領域に記録する制御部を有する、すなわち本願発明と同様「前記受信バッファメモリから該受信情報を読み出し、前記位置付け部に前記ヘッドの該記録媒体上の所定記録開始位置への移動を指示し、前記記録開始位置からはじまる連続する領域に該受信情報を記録する記録制御部」を実質的に有するものといえる。
　さらに、引用例には、光学ヘッド３を今記録を終了したトラック（図２中のトラックＮ）の先頭にオントラックさせ、再生状態に移行させることも記載されており（引用例の上記オの記載参照）、その再生動作は入力データを連続して順に記録（Ｎ−１，Ｎ，Ｎ＋１，・・・）する記録中になされるものであるから、引用例に記載の発明も、本願発明と同様「該記録媒体への該受信情報の記録中に該記録媒体に記録された該受信情報の再生が開始されたときに、前記位置付け部により移動された前記ヘッドにより前記記録開始位置からはじまる連続する領域から該受信情報を読み取る再生部」を実質的に有するものといえる。
　　ウ　引用例には、第１のメモリ手段５では２倍以上のデータの時間軸圧縮が行われることが記載されており（引用例の上記エの記載参照）、そして、そのような時間軸圧縮が、読み出し速度を格納速度よりも２倍以上速く設定して行われることも明らかであるから、引用例に記載の発明も、「前記受信バッファメモリからの受信情報の読み出し速度を前記受信バッファへの受信情報の格納速度よりも数倍速く設定して」いるものといえる。また、引用例には、第２のメモリ手段１５への書き込みデータレートも記録データレートと同じ入力データレートの２倍以上であり、その第２のメモリ手段１５からは、第２の読み出しアドレス１７により出力データ１９が連続して読み出され、記録モード、ジャンプモード、再生モードを繰り返すことによって連続的に同時モニタ機能を実現することが記載されており（引用例の上記カの記載参照）、引用例に記載の発明も「前記再生バッファメモリからの該受信情報の読み出しに要する時間を、該受信情報を前記再生バッファメモリに格納する時間よりも長く設定することにより、前記受信バッファメモリへの格納および前記再生バッファメモリから読み出しを平行して行わせる」ものといえ、その点では本願発明と変わりがない。
　
（２）一致点
　以上の点アないしウを踏まえると、本願発明と引用例に記載の発明とは、
「音声情報を含む受信情報の記録媒体への記録と並行して該記録媒体から記録された該受信情報の読み出しを行う記録再生装置であって、
　該記録媒体へ該受信情報を記録し、該記録媒体から該受信情報を読み出すヘッドと、
　前記ヘッドの該受信情報の記録位置または該受信情報の読み出し位置を制御する位置付け部と、
　該記録媒体への該受信情報の記録が開始されたときに、該受信情報を格納する受信バッファメモリと、
　前記受信バッファメモリから該受信情報を読み出し、前記位置付け部に前記ヘッドの該記録媒体上の所定記録開始位置への移動を指示し、前記記録開始位置からはじまる連続する領域に該受信情報を記録する記録制御部と、
　該記録媒体から読み出した該受信情報を格納する再生バッファメモリと、
　該記録媒体への該受信情報の記録中に該記録媒体に記録された該受信情報の再生が開始されたときに、前記位置付け部により移動された前記ヘッドにより前記記録開始位置からはじまる連続する領域から該受信情報を読み取る再生部とを備え、
　前記受信バッファメモリからの受信情報の読み出し速度を前記受信バッファへの受信情報の格納速度よりも数倍速く設定して、前記再生バッファメモリからの該受信情報の読み出しに要する時間を、該受信情報を前記再生バッファメモリに格納する時間よりも長く設定することにより、前記受信バッファメモリへの格納および前記再生バッファメモリから読み出しを平行して行わせることを特徴とする記録再生装置。」である点で一致し、次の点で相違する。
　
（３）相違点
　相違点１
　本願発明では、「画像情報」と音声情報とを含む受信情報を記録再生するものであるのに対して、引用例に記載の発明は、音声情報などを含む受信情報を記録再生するものであるものの、画像情報については明らかでない点。
　相違点２
　本願発明では、前記再生バッファメモリからの該受信情報の読み出しに要する時間を、「該受信情報を該記録媒体に記録する時間と前記記録媒体から該受信情報を読み出して」前記再生バッファメモリに格納する時間「との和」よりも長く設定するものであるのに対して、引用例に記載の発明は、そのことが明らかでない点。
　
（４）相違点の検討
　そこで、上記各相違点について検討する。
　相違点１について
　記録再生装置において、音声情報のみならず画像情報をも含む受信情報を記録再生することは周知・慣用の事項であり（例えば、特開平４−１２３３６６号公報参照）、引用例に記載の発明において、「画像情報」と音声情報とを含む受信情報を記録再生するようになす程度のことは当業者が適宜になし得ることといえる。
　相違点２について
　引用例には、第２のメモリ手段１５からは第２のアドレス生成手段１８で出力データレートに従って生成される第２の読み出しアドレス１７により出力データ１９が連続して読み出され、記録モードＲ、ジャンプモードＪ、再生モードＰを繰り返すことによって連続的に同時モニタ機能を実現することが記載されており（引用例の上記カの記載参照）、そして、そのような再生モニタ動作を間断なく実行するためには、第２のメモリ手段１５からの読み出しに要する時間を、第２のメモリ手段１５に記録する時間と第２のメモリ手段１５から読み出して第２のメモリ手段１５へ格納する時間との和よりも長く設定して、第２のメモリ手段１５内データ量をアンダーフローしないようにすることは常識的事項であり（引用例の上記ケの記載参照）、そのことは引用例の図５に再生系における第２のメモリ内データ量の関係が示されていること（引用例の上記キの記載参照）、あるいは図３に出力データ１９の読み出し期間が、記録指令２２の期間と再生指令の期間との和よりも長いことが示されていることからも明らかである。
　してみると、引用例に記載の発明において、再生モニタ動作を間断なく実行するために、再生バッファメモリからの該受信情報の読み出しに要する時間を、本願発明のように、「該受信情報を該記録媒体に記録する時間と前記記録媒体から該受信情報を読み出して」前記再生バッファメモリに格納する時間「との和」よりも長く設定する程度のことは当業者が設計上適宜になし得ることといえる。
　そして、これら相違点を総合的に考慮しても、本願発明は容易に推考し得るものであり、本願発明の構成に基づく効果についてみても格別顕著なものがあるとはいえない。　　
　
４　【むすび】
　以上、本願発明は、引用例に記載された発明に基づいて、当業者が容易に発明をすることができたものであるから、特許法第２９条第２項の規定により特許を受けることができない。
　それ故、他の請求項２ないし７に係る発明について検討するまでもなく、本願は拒絶されるべきものである。
　よって、結論のとおり審決する。